(57)【要約】【課題】設置や取り外しや移動が簡単に行える障壁用ブロックを提供する。【解決手段】道路または敷地に複数設置して該道路または敷地を区画するための障壁用ブロック１０であって、障壁用ブロック１０は、中空の台座部１１と、この台座部１１の上部に連続形成された中空の突出部２０とを備え、台座部１１内と突出部２０内とに水を注水可能にし、突出部２０の一端側の一側面に突起２５を設け、その他端側の他側面に凹部２３を設け、前記一側面の突起２５を隣接する他の障壁用ブロック１０の突出部２０の他側面の凹部２３に係合可能にして、隣接する他の障壁用ブロック１０と連結できるようにした。【選択図】  図１
2013209806.tif 000002
【特許請求の範囲】
【請求項１】
道路または敷地に複数設置して該道路または敷地を区画するための障壁用ブロックであって、
前記障壁用ブロックは、中空の台座部と、この台座部の上部に連続形成された中空の突出部とを備え、
前記台座部内と突出部内とに水を注水可能にし、
前記突出部の一端側の側壁部に突起を設け、その他端側の側壁部に係合凹部を設け、
前記一端側の側壁部の突起を隣接する他の障壁用ブロックの突出部の他端側の側壁部の係合凹部に係合可能にして、隣接する他の障壁用ブロックと連結できるようにしたことを特徴とする障壁用ブロック。
【請求項２】
前記台座部の底面に、他の障壁用ブロックの突出部が着脱可能に嵌入できる嵌入溝を形成して、他の障壁用ブロックの上に重ねられるようにしたことを特徴とする請求項１に記載の障壁用ブロック。
【請求項３】
前記突出部の前壁部と後壁部の中央部に突部を設け、
前記嵌入溝の両側壁部の中央部に凹部を設け、
前記嵌入溝に他の障壁用ブロックの突出部を嵌入させた際、この突出部の前壁部及び後壁部の突部が前記嵌入溝の両側壁部の凹部に係合することを特徴とする請求項２に記載の障壁用ブロック。
【請求項４】
前記嵌入溝の上壁部に下方に突出した突条部を設け、前記突出部の上面に切欠部を設け、
前記嵌入溝に他の障壁用ブロックの突出部を嵌入させた際、この突出部の上面の切欠部に前記嵌入溝の突条部が嵌入することを特徴とする請求項３に記載の障壁用ブロック。
【発明の詳細な説明】
【技術分野】
【０００１】
この発明は、道路や敷地に複数設置して例えば車道などを分離するための障壁用ブロックに関する。
【背景技術】
【０００２】
従来から、障壁用ブロックとして中空体のものが知られている（特許文献１参照）。
【０００３】
かかる障壁用ブロックの設置は、中空体の底部をアンカーボルトで路面に固定し、中空体の端面と、他の中空体の端面とをロッドで接続し、中空体の中にコンクリートを流し込んで完了するものである。
【先行技術文献】
【特許文献】
【０００４】
【特許文献１】登録実用新案第３０１１０１６号公報
【発明の概要】
【発明が解決しようとする課題】
【０００５】
しかしながら、このような障壁用ブロックにあっては、アンカーボルトで路面に固定するため、自由な位置に設置や取り外しや移動が行えず、また、連結もロッドを用いるため、その連結作業も面倒であるという問題があった。
【０００６】
この発明の目的は、設置や取り外しや移動や連結が簡単に行える障壁用ブロックを提供することにある。
【課題を解決するための手段】
【０００７】
請求項１の発明は、道路または敷地に複数設置して該道路または敷地を区画するための障壁用ブロックであって、
前記障壁用ブロックは、中空の台座部と、この台座部の上部に連続形成された中空の突出部とを備え、
前記台座部内と突出部内とに水を注水可能にし、
前記突出部の一端側の側壁部に突起を設け、その他端側の側壁部に係合凹部を設け、
前記一端側の側壁部の突起を隣接する他の障壁用ブロックの突出部の他端側の側壁部の係合凹部に係合可能にして、隣接する他の障壁用ブロックと連結できるようにしたことを特徴とする。
【発明の効果】
【０００８】
この発明によれば、障壁用ブロックの設置や取り外しや移動や連結が簡単に行える。
【図面の簡単な説明】
【０００９】
【図１】この発明に係る障壁用ブロックを示した斜視図である。
【図２】図１に示す障壁用ブロックを異なる方向から見た斜視図である。
【図３】図１に示す障壁用ブロックの正面図である。
【図４】図１に示す障壁用ブロックの側面図である。
【図５】図１に示す障壁用ブロックの平面図である。
【図６】図１に示す障壁用ブロックの底面図である。
【図７】図１に示す障壁用ブロックの注水口を示した部分拡大図である。
【図８】図１のＡ−Ａ線に沿う断面図である。
【図９】図１のＢ−Ｂ線に沿う断面図である。
【図１０】障壁用ブロックを連結した状態を示した平面図である。
【図１１】障壁用ブロックを連結した状態を示した正面図である。
【図１２】障壁用ブロックを２段に積み重ねた状態を示した斜視図である。
【図１３】図１２のＤ−Ｄ線に沿う断面図である。
【図１４】障壁用ブロックに障壁ブロックを重ねた状態を示した斜視図である。
【図１５】図１４の正面図である。
【図１６】図１４の縦断面図である。
【図１７】図１４の横断面図である。
【発明を実施するための最良の形態】
【００１０】
以下、この発明に係る障壁用ブロックの実施の形態である一実施例を図面に基づいて説明する。
【実施例】
【００１１】
図１ないし図９に示す障壁用ブロック１０は、中空の樹脂製の台座部１１と、この台座部１１の上部に連続形成された中空の樹脂製の突出部２０とを備え、台座部１１内と突出部２０内とは連通している。
【００１２】
台座部１１は、底面１１Ａに長手方向に沿って一端から他端に渡って形成された所定幅の溝（嵌入溝）１２を有している。溝１２の両側壁部１２Ａ,１２Ｂの高さは所定の高さを有し、両側壁部１２Ａ,１２Ｂの中央部には凹部１３Ａ,１３Ｂが設けられている。
【００１３】
この凹部１３Ａ,１３Ｂの深さは上に行くほど浅くなっており、凹部１３Ａ,１３Ｂの突当面１３Ａａ,１３Ｂａは下方に行くほど互いに離間するように傾斜している。
【００１４】
溝１２の上壁面１４の中央部には、下方に突出するとともに溝１２の幅と同一の長さの突条部１５が形成されている。
【００１５】
台座部１１の前壁面（前壁部）１６と後壁面（後壁部）１７の上には、斜め上方に向いた傾斜面１６Ａ,１７Ａが形成されている。
【００１６】
突出部２０は、台座部１１の上面１１Ｂに一体形成され、その上面１１Ｂの長手方向の長さと同一の長さを有し、その上面１１Ｂの幅より小さい幅の直方体状に形成されている。突出部２０の高さＨ１（図３,４参照）は、台座部１１の溝１２の側壁部１２Ａ,１２Ｂの高さＨ２（図４参照）より高く設定されている。
【００１７】
突出部２０の上面２１の一端部と他端部には傾斜面２１Ａ,２１Ｂがそれぞれ形成されており、突出部２０の一側面（側壁部）２２と台座部１１の一側面（側壁部）１１Ｃとには上下方向に延びるとともに平面視が半円形の凹部（係合凹部）２３が形成され、突出部２０の他側面（側壁部）２４と台座部１１の他側面（側壁部）１１Ｄとには上下方向に延びるとともに平面視が半円形の突起２５が形成されている。
【００１８】
突出部２０の前壁面２６と後壁面２７の中央部には断面が三角形状を呈する突部２８,２９が形成されており、この突部２８,２９は下にいくに従って外方へ突出しており、突部２８,２９の面は傾斜面２８Ａ,２９Ａとなっている。
【００１９】
また、突出部２０の前壁面２６及び後壁面２７は、突部２８,２９によって２つの面２６ａ,２６ｂ、２７ａ,２７ｂに分断されている。
【００２０】
突出部２０の上面２１の中央部には、円形の凹部３０が形成され、この凹部３０の底面３０Ａには注水口３１が形成されている。この注水口３１には、図７に示すように蓋４０が着脱可能に嵌入されており、注水口３１が蓋４０によって閉塞されている。なお説明の便宜上、他の図面には蓋４０を省略してある。
【００２１】
また、突出部２０の上面２１には、図１及び図５に示すように、突出部２０の長手方向と直交する方向に凹部３０を貫通する方向に切欠３２,３２が設けられている。
【００２２】
この切欠３２,３２の深さと凹部３０の深さは同一に設定され、この深さは台座部１１の溝１２の突条部１５の突出量より大きく設定されている。また、切欠３２,３２の幅が突条部１５の厚みとほぼ同一に設定されている。
［使用方法］
次に、上記のように構成される障壁用ブロック１０の使用方法について説明する。
【００２３】
先ず、水を抜いた空の複数の障壁用ブロック１０をトラックなどで現場へ搬送して降ろす。
【００２４】
障壁用ブロック１０の注水口から水を注水し、台座部１１及び突出部２０に水を入れる。水を入れた障壁用ブロック１０を道路や敷地の所定位置に置いていき、図１０及び図１１に示すように、障壁用ブロック１０の突出部２０の凹部２３に、隣接する障壁用ブロック１０の突出部２０の突起２５を係合させて障壁用ブロック１０,１０…を連結していく。この連結により障壁を形成するものである。
【００２５】
このように、障壁用ブロック１０の突出部２０の凹部２３に、隣接する障壁用ブロック１０の突出部２０の突起２５を係合させればよいので、その連結は簡単に行える。
【００２６】
この障壁用ブロック１０,１０…の障壁により、道路や敷地内に車道を分離（区画）したり、歩道や駐車所などを分離（区画）したりするものである。
【００２７】
この障壁を片付ける場合は、障壁用ブロック１０を上に持ち上げるだけで、その連結から外せるので、その片付けは簡単に行え、しかも障壁用ブロック１０内の水を抜けば、その持ち運びは簡単に行えるので、その片付けは非常に簡単に行えることになる。
【００２８】
１つの障壁用ブロック１０では高さが低い場合には、図１２に示すように、積み重ねる。
【００２９】
この場合、障壁用ブロック１０と隣接する障壁用ブロック１０との間を所定離間させ、障壁用ブロック１０と隣接する障壁用ブロック１０との上に別な障壁用ブロック１０を載置する。すなわち、下の障壁用ブロック１０の突出部２０の面２６ａ(図示せず),２７ａと隣接する下の障壁用ブロック１０（図１２において右側の障壁用ブロック１０）の突出部２０の面２６ｂ,２７ｂ(図１３参照)とを上の障壁用ブロック１０の台座部１１の溝１２の側壁部１２Ａ,１２Ｂ間に嵌入させて下の障壁用ブロック１０,１０を連結する。
【００３０】
同様にして、図１２に示す下の一方の障壁用ブロック１０と、図示しない隣りの障壁用ブロック１０の上に障壁用ブロック１０(図示せず)を上記と同様に載置して下の障壁用ブロック１０同士を横に連結していく。このようにして障壁を形成していく。
【００３１】
２段の積み重ねでも高さが足りない場合には、上記と同様に、上の障壁用ブロック１０の突出部２０の面２６ａ,２７ａと隣りの上の障壁用ブロック１０(図示せず)の突出部２０の面２６ｂ,２７ｂ(図示せず)とを３段目の障壁用ブロック１０(図示せず)の台座部１１の溝１２の側壁部１２Ａ,１２Ｂ間に嵌入させて２段目の障壁用ブロック１０を連結していく。
【００３２】
このようにして、上に積み重ねていくとともに横に連結していくことにより所望の高さと長さの障壁を形成し、この障壁によって車道や歩道や駐車所などを分離していくものである。
【００３３】
この障壁用ブロック１０によれば、障壁用ブロック１０と障壁用ブロック１０との間を所定距離離間させて積み重ねていくので、少ない数の障壁用ブロック１０…で所望の高さと長さの障壁を形成することができる。
【００３４】
また、上の障壁用ブロック１０の台座部１１は、下の２つの障壁用ブロック１０,１０の突出部２０,２０の突部２８,２９、２８,２９によって挟まれた状態となるので、上の障壁用ブロック１０は下の障壁用ブロック１０に対して左右方向（図１２において）にズレてしまうことがなく、このため各障壁用ブロック１０の連結は強固なものとなり、強固な障壁を形成することができることになる。
【００３５】
この障壁を片付ける場合、上の障壁用ブロック１０を上に持ち上げれば、下の障壁用ブロック１０,１０から外せるので、障壁の片付けは簡単に行える。
【００３６】
また、障壁用ブロック１０の水を抜くことによって障壁用ブロック１０の移動を簡単に行うことができ、このため、どのような場所であっても障壁用ブロック１０によって障壁を自由自在に形成することができる。
【００３７】
多数の障壁用ブロック１０…を収納する場合、図１４及び図１５に示すように、障壁用ブロック１０の突出部２０を上に載せる障壁用ブロック１０の台座部１１の溝１２に嵌入させる。この嵌入の際、下の障壁用ブロック１０の突出部２０の凹部３０の切欠３２内に、上の障壁用ブロック１０の台座部１１の溝１２の突条部１５を図１６に示すように挿入させるとともに、図１７に示すように下の障壁用ブロック１０の突出部２０の突部２８,２９を上の障壁用ブロック１０の台座部１１の溝１２の凹部１３Ａ,１３Ｂ内に挿入させる。
【００３８】
このようにして、上に積み重ねるとともに、図１０及び図１１に示すように横方向に連結するようにすることにより、多数の障壁用ブロック１０…を狭いスペース内に収納することができることになる。
【００３９】
また、下の障壁用ブロック１０の突出部２０の突部２８,２９を、上の障壁用ブロック１０の台座部１１の溝１２の凹部１３Ａ,１３Ｂに挿入し、その溝１２の突条部１５を下の障壁用ブロック１０の突出部２０の切欠３２,３２に挿入させるものであるから、下の障壁用ブロック１０に対して上の障壁用ブロック１０は長手方向（図５において左右方向）にズレてしまうことがなく、このため、収納した障壁用ブロック１０…が乱雑になってしまうことを防止することができる。
【００４０】
上記実施例では、障壁の形成方法として、図１１及び図１２に示す二通りの方法を示したが、これに限らず、一段目を図１１に示すようにして障壁を形成し、この障壁の上に図１２に示す障壁を形成するようにしてもよく、また、図１４に示すものを組み合わせることによって多種多様の障壁を形成することができる。
【００４１】
この発明は、上記実施例に限られるものではなく、特許請求の範囲の各請求項に係る発明の要旨を逸脱しない限り、設計の変更や追加等は許容される。
【符号の説明】
【００４２】
１０        障壁用ブロック
１１        台座部
１２        溝（嵌入溝）
１３Ａ      凹部
１３Ｂ      凹部
１５        突条部
２０        突出部
２３        凹部（係合凹部）
２５        突起
２６        前壁面（前壁部）
２７        後壁面（後壁部）
２８        突部
２９        突部
３２        切欠（切欠部）
【図１】
2013209806.tif 000003
【図２】
2013209806.tif 000004
【図３】
2013209806.tif 000005
【図４】
2013209806.tif 000006
【図５】
2013209806.tif 000007
【図６】
2013209806.tif 000008
【図７】
2013209806.tif 000009
【図８】
2013209806.tif 000010
【図９】
2013209806.tif 000011
【図１０】
2013209806.tif 000012
【図１１】
2013209806.tif 000013
【図１２】
2013209806.tif 000014
【図１３】
2013209806.tif 000015
【図１４】
2013209806.tif 000016
【図１５】
2013209806.tif 000017
【図１６】
2013209806.tif 000018
【図１７】
2013209806.tif 000019